(57)【特許請求の範囲】
【請求項１】
第１の枚葉紙送り部材(18)と第２の枚葉紙送り部材(19)とから組み立て可能に構成され、枚葉印刷物(63)を送るための、枚葉紙印刷機(1)おける枚葉紙送り装置において、前記枚葉紙送り装置が、前記枚葉紙送り部材(18、19)の組み立ての際に前記枚葉紙送り部材(18、19)の少なくとも１つを案内する案内部材(22)を備えていることを特徴とする枚葉紙送り装置。
【請求項２】
前記案内部材(22)が、前記第１の枚葉紙送り部材(18)と前記第２の枚葉紙送り部材(19)を、その組み立ての際に案内するようになっている、請求項１記載の枚葉紙送り装置。
【請求項３】
前記第１の枚葉紙送り部材(18)および前記第２の枚葉紙送り部材(19)がそれぞれ、前記第１の枚葉紙送り部材(18)および前記第２の枚葉紙送り部材(19)を前記案内部材(22)に固定する第１の取付け具(31、36)、第２の取付け具(32、35)を備えている、請求項１または２に記載の枚葉紙送り装置。
【請求項４】
前記第１の取付け具(31、36)がそれぞれ制動部(38)および制動部受け部(37)を含んでいる、請求項３記載の枚葉紙送り装置。
【請求項５】
少なくとも１つの第２の取付け具(32、35)が、回転およびスライドリンクとして構成されている、請求項３または４記載の枚葉紙送り装置。
【請求項６】
前記第１の枚葉紙送り部材(18)と前記第２の枚葉紙送り部材(19)との間へ差込み可能で、前記組み立ての際に前記案内部材(22)によって案内される少なくとも１つの第３の枚葉紙送り部材(25)を含んでいる、請求項２〜５のいずれか１項に記載の枚葉紙送り装置。
【請求項７】
前記第３の枚葉紙送り部材(25)が、他の枚葉紙送り部材(18、19)の第２の取付け具(32、35)に相応して形成された２つの取付け具(32、34)を備えている、請求項６記載の枚葉紙送り装置。
【請求項８】
前記枚葉紙送り部材(18、19)の少なくとも１つが、前記組み立ての際に前記案内部材(22)に自動的に固定されるように構成されている、請求項１〜７のいずれか１項に記載の枚葉紙送り装置。
【請求項９】
前記第１の枚葉紙送り部材(18)および前記第２の枚葉紙送り部材(19)が、枚葉紙搬送胴(13)または枚葉印刷物(63)を案内する胴に取り付けられている、請求項１〜８のいずれか１項に記載の枚葉紙送り装置。
【請求項１０】
前記枚葉紙送り部材(18、19、25)の少なくとも１つが、ノズルを備える枚葉紙案内板として構成されており、前記ノズルが半径流送風機によって吹付け空気を供給されるようになっている、請求項１〜９のいずれか１項に記載の枚葉紙送り装置。
【請求項１１】
枚葉紙搬送方向(58)にみて前記枚葉紙送り部材(18;25)の前縁(60)が、枚葉紙搬送方向(58)に後続する枚葉紙送り部材(25;19)の後縁(61)に対して、枚葉紙案内面に垂線な方向に移動するように、少なくとも１つの枚葉紙送り部材(18;25)が配置されている、請求項１〜10のいずれか１項に記載の枚葉紙送り装置。
【請求項１２】
前記案内部材(22)が、前記枚葉紙搬送胴(13)と同心にまたは前記胴に対し湾曲した状態で形成されている、請求項９〜11のいずれか１項に記載の枚葉紙送り装置。
【請求項１３】
請求項１〜12記載のいずれか１項に記載の少なくとも１つの枚葉紙送り装置(16、17)を有する印刷機。
【発明の詳細な説明】
【０００１】
【発明の属する技術分野】
本発明は、請求項１の前提項に記載したような、第１の枚葉紙送り部材と第２の枚葉紙送り部材とから組み立て可能に構成され、枚葉紙印刷機における枚葉印刷物を送る枚葉紙送り装置に関する。
【０００２】
【従来の技術】
枚葉紙印刷機にあっては、汚れを生じることなく枚葉印刷物を搬送するための枚葉紙送り装置が用いられている。この場合、枚葉印刷物は、搬送の際に、直接、枚葉紙送り部材上を、もしくは枚葉紙送り部材上に形成される吹付け空気クッション上を移動されられ、これにより、枚葉印刷物は、例えばこの枚葉印刷物を搬送する搬送胴の周囲上に保持されるようになっている。曲げ強い厚紙枚葉紙は、このようにして非常に確実に搬送される。この種の枚葉紙送り装置は、通常、汚れた状態で付着した印刷インキとこびりついた紙粉をクリーニングする必要がある。
【０００３】
ドイツ実用新案第29710252号では、複数の案内板から形成され連続する表面として構成される円弧状の印刷物用送り装置が記載されている。この装置にあっては、さらに、この案内部材内で案内板がスライドするように支持された案内部材を備えることができるようになっている。同様に、ヒンジ式回転継手でこの案内部材に支持することができるようになっている。他の構成としては、この案内部材を、溝として、すなわち、内部で案内板がボルトによりスライド運動するような溝としても形成することが可能である。
【０００４】
前述のような従来の装置にあっては、案内板は、フレームに固定された回転継手内に支持されている。この案内板は組み立て可能な構成となっておらず、そして案内部材もまたこれに相応した構成となっていない。この送り装置は、枚葉紙送り胴へ手が届きやすくなっているものの、送り装置のメンテナンスはそれ自体がコストのかかる分解作業を伴うものである。この送り装置の徹底的なクリーニングを行うためには、この送り装置を印刷機から取り外すことができるようにすることが好ましい。この場合、これは工具を用いてヒンジを取り外す場合にのみ可能となっており、このようにすることは、実際において非常に時間がかかる。この送り装置は、列状に配置された３つの枚葉紙送り胴における中央の枚葉紙送り胴に、この枚葉紙送り胴の上方で取り付けられている。この送り装置は、枚葉紙送り胴の下側の範囲に配置することについては構造的に適しておらず、そしてまた、これにより、２つの印刷ユニットにおける逆圧胴の間に枚葉紙搬送胴が１つだけ配置されているような印刷機には用いられない。この場合、つまり枚葉印刷物は、枚葉紙搬送胴の回転方向に基づいて、枚葉紙搬送胴の下側で、この枚葉紙搬送胴から搬送されるようになっている。この従来の送り装置は、特に曲げ強い材料に有効であるが、薄い不安定な印刷物にはあまり適していない。
【０００５】
【発明が解決しようとする課題】
ドイツ実用新案第29501537号では、本発明に近い従来技術である、空気供給ケース（Kasten）を備えた枚葉紙送り装置が記載されている。この空気供給ケースは、搬送胴の下方に配置することが可能となっており、この場合、この搬送胴は、単一の胴として、２つの印刷ユニットとこの印刷ユニットの逆圧胴との間でこの枚葉印刷物を搬送するようになっている。この枚葉紙送り装置の案内面は、モジュールから組み立てることが可能となっている。モジュールの組み立ては、印刷機の組み立ての際に行われる。これにあっては、モジュールの簡単で迅速な組立ておよび分解が容易に行えるような案内部材を備えていない。この印刷機は、部分的に分解しなければならないとともに、搬送胴を取り外さなければならない。その理由は、この枚葉紙送り装置は、他のものとは異なり（anders）、クリーニングを行う際に手が届きにくいからである。
【０００６】
本発明の目的は、迅速かつ確実に組み立て可能な枚葉紙送り装置を提供することにある。
【０００７】
【課題を解決するための手段】
この目的は、本発明によれば請求項１の特徴を有する枚葉紙送り装置により達成される。
従属項は他の特徴を含んでいる。
【０００８】
第１の枚葉紙送り部材と第２の枚葉紙送り部材とから組み立て可能に形成された枚葉紙印刷機における枚葉印刷物を送るための枚葉紙送り装置は、枚葉紙送り部材の組み立ての際に枚葉紙送り部材の少なくとも１つを案内する案内部材を枚葉紙送り装置が備えていることを特徴としている。組み立ての際に枚葉紙送り部材の少なくとも１つを案内するこの案内部材によって、印刷工がこの枚葉紙送り装置の迅速な組立てを行うことが可能になる。この案内部材は、好ましくは枚葉紙送り装置の分解の際にも少なくとも１つの枚葉紙送り部材を案内することができるようになっており、これにより、非常に確実な作業により分解を行うことが可能となる。この案内部材によって案内されるこの少なくとも１つの枚葉紙送り部材は、その作用位置にが特に手が届きにくく、そしてまた例えば枚葉紙搬送胴のような他の機械構成部品によって遮られるような少なくとも２つの組み立て可能な枚葉紙送り部材から構成される枚葉紙送り部材であることが好ましい。その取り付け位置がより手が届きやすくなっている他の枚葉紙送り部材は、案内される枚葉紙送り部材によって、案内されない状態で組み立てられることが可能である。この種の枚葉紙送り装置は、特に簡単に、可変式に組み立て可能な状態で構成することができる。第１のおよび／または第２の枚葉紙送り部材については、部品交換が可能な複数の変形例が可能となっている。例えば、ノズルを備える枚葉紙案内板として構成された枚葉紙送り部材は、ノズル装置を他のものに交換することができるようになっており、すなわち例えば軽量紙を重い厚紙へ変えるような印刷物交替がこのような部品交換を必要とする場合に、非常に迅速にノズル装置を他のものに交換することができるようになっている。
【０００９】
本発明の実施態様は、第１の枚葉紙送り部材と第２の枚葉紙送り部材を、その組み立ての際に案内するような案内部材を枚葉紙送り装置が備えていることを特徴としている。この実施態様は、組み立て可能な第１および第２の枚葉紙送り部材の作用位置が作業者にとって手が届きにくくなっている場合には特に好ましい。また、第１および第２の枚葉紙送り部材を案内する好適な単独の案内部材に代わり、第１および第２の枚葉紙送り部材の各々を別個の案内部材によって案内するようにすることが可能であり、この場合、互いに別個の案内部材は、異なった構造もしくは同じ構造に構成することができる。
【００１０】
前述の実施態様において説明した全ての案内部材は、枚葉紙搬送方向および／またはその反対方向に、すなわち印刷方向に、そしてまた、枚葉紙搬送方向に対して垂直に、すなわち印刷横方向に、１つおよび／または複数の枚葉紙送り部材を案内することができるようになっている。例えば、枚葉紙搬送胴に取り付けられ、枚葉紙搬送胴によって搬送される枚葉印刷物を案内する案内部材は、どの方向にこれらの枚葉紙送り部材を組み立てるかに応じて、胴軸方向に対して平行に、もしくは、好ましくは胴周囲方向に対して平行に、枚葉紙送り部材を案内することが可能となっている。
【００１１】
他の実施態様は、第１の枚葉紙送り部材および第２の枚葉紙送り部材が、それぞれ第１の枚葉紙送り部材および第２の枚葉紙送り部材を案内部材に固定する第１の取付け具および第２の取付け具を備えている、ことを特徴としている。このように構成された枚葉紙送り部材は、その作用位置に非常に正確に固定されることが可能となっている。各々の取付け具は、案内部材に属するかもしくはこの案内部材に形成された部材から、そしてまた、枚葉紙送り部材に属するかもしくはこの枚葉紙送り部材に形成された部材から構成されることが好ましい。さらに、第２の取付け具が２つの枚葉紙送り部材を互いに連結させる役割を有し、そしてまた第１の枚葉紙送り部材に属するとともに第２の枚葉紙送り部材に属する一部分から構成されているのに対し、枚葉紙送り部材の各々がこのような第１の取付け具を備えるようにすることもできる。この場合、第２の取付け具は、例えば枚葉紙送り部材を部分的に互いに入り込んだ状態で差し込むことができるような、そしてまた、他方の側に支持され固定されるような形状とすることができる。このような取付け具を介して、場合によっては第１の枚葉紙送り部材と第２の枚葉紙送り部材との間に差込み可能な第３の枚葉紙送り部材を第１のおよび第２の枚葉紙送り部材に嵌合した状態で連結することも可能である。第１のおよび第２の取付け具は、各々の枚葉紙送り部材上で、枚葉紙搬送方向に互いに置き換えられ、そしてこの案内部材に配置されるとともに、互いに異なった状態で形成されることが好ましい。
【００１２】
他の実施態様は、第１の取付け具が制動部および制動部受け部を含んでいることを特徴としている。このように嵌合した状態で作用する第１の取付け具により、枚葉紙送り部材は、作用位置から不用意に解除されることが防止されるようになっている。また、例えば締付けのような、摩擦による嵌合状態で作用する第１の取付け具を備えるようにすることもできる。
【００１３】
さらに他の実施態様は、少なくとも１つの第２の取付け具が、そしてまた好ましくは各々の第２の取付け具が、回転継手およびスライドリンクとして形成されていることを特徴としている。この種の取付け具は、リンク装置の回転軸まわりの回転を、そしてまた、対にされたリンク装置部分がリンク装置の内側で互いにスライド移動することを可能にし、そしてまた、少なくとも１つの自由度２を備えている。案内部材内で例えば印刷方向に対して横方向となる側部方向に印刷機へ差込み可能な枚葉紙送り部材で、付加的に印刷方向に回転軸まわりを揺動可能となっている枚葉紙送り部材の場合、このスライド移動をリンク装置の回転軸の軸方向に行うことが可能となっている。回転軸、もしくは、この回転軸を形成するリンクピンは、この回転軸もしくはこのリンクピンの軸方向に対して垂直に、すなわち例えば印刷方向に、移動されるようになっていることが好ましい。このように構成された枚葉紙送り装置は、枚葉紙送り装置を取り付けた枚葉紙搬送胴に隣接するような配置の場合には、特に好ましい状態で組み立て可能となっている。この枚葉紙送り装置における組み立てられた枚葉紙送り部材によって形成された案内路は、枚葉紙搬送胴の周囲表面に対して同心に配置することができるとともにこの周囲表面に向けることができ、そしてまた、好ましくはこの周囲表面に対して概ね等距離に延びる状態とすることができる。少なくとも１つの回転継手およびスライドリンクを含む枚葉紙送り装置は、枚葉紙搬送胴の下側での手が届きにくい位置に配置することに特に適している。
【００１４】
さらに他の実施態様は、少なくとも１つの第１の枚葉紙送り部材と第２の枚葉紙送り部材との間に差込み可能で、組み立ての際に案内部材によって案内される第３の枚葉紙送り部材を枚葉紙送り装置が含んでいることを特徴としている。また、第１の枚葉紙送り部材と第２の枚葉紙送り部材との間に差込み可能で案内部材によって案内される複数の枚葉紙送り部材を備えるようにすることもできる。２つの部分よりも多い部分からなる枚葉紙送り装置の構成により、印刷機の内部における大きくてかさばる枚葉紙送り装置の組み立てが簡略化される。このことは、例えば、非常に大きな枚葉紙搬送胴における枚葉紙送り装置が、大サイズの周囲長さを備えている場合に非常に有効である。この場合、２つの部分から形成された枚葉紙送り装置における枚葉紙送り部材は、組立ての際にあまりにも取り扱いにくく、そしてまた、現存する狭い構造空間関係に基づき、多くの場合、好ましくない状態で胴周囲ラインに沿って作用位置へ差し込むことだけが可能である。この枚葉紙送り装置は、３つの枚葉紙送り部材から正確に構成されるような、３つの部品で構成されることが好ましい。これにより、製造コストが限られている場合でも快適な組み立ておよび分解がを可能になる。
【００１５】
さらに他の実施態様は、他の枚葉紙送り部材の第２の取付け具に相応するかもしくは実質的に同じように構成されている２つの取付け具を第３の枚葉紙送り部材が備えているという特徴を有している。このような実施態様により、製造コストを低減できるとともに、第３の枚葉紙送り部材を、他の２つの枚葉紙送り部材に続く状態で、これらの２つの枚葉紙送り部材とともに非常に正確に組み立てることができるようになっている。第３の枚葉紙送り部材の各々における取付け具は、第１のまたは第２の枚葉紙送り部材における、これらの取付け具に取り付けられた第２の取付け具とともに２重取付け具の形で形成することが可能であり、この場合、この２重取付け具の一部分が、同時に、各々の第２の取付け具における構成要素となっているとともに、この第２の取付け具につながる第３の枚葉紙送り部材の取付け具における構成要素となっている。例えば、対の案内面の間で、同時に第１のまたは第２の枚葉紙送り部材に属する案内部が、第３の枚葉紙送り部材に属する案内部とともに取り付けられるとともに案内されることが可能になっている。
【００１６】
さらに他の実施態様は、第１のおよび／または第２の枚葉紙送り部材は、組み立ての際に案内部材に自動的に固定されるような構成となっていることを特徴としている。このような構成により、確実な作業が完全に行えるようになるとともに、印刷機を損傷するような組み立てミスが防止される。この自動的な固定は、各々の枚葉紙送り部材上へ揺動力が作用することにより行われるようになっている。第１および第２の枚葉紙送り部材は、それぞれ、自動的に固定されるように形成されていることが好ましい。
【００１７】
さらに他の実施態様は、第１のおよび第２の枚葉紙送り部材が、枚葉紙搬送胴に、もしくは、枚葉印刷物を案内する胴に取り付けられていることを特徴としている。第３の枚葉紙送り部材が存在する場合、もしくは、第１の枚葉紙送り部材と第２の枚葉紙送り部材との間に保持された複数の枚葉紙送り部材が存在する場合、全ての枚葉紙送り部材が、枚葉紙搬送胴にもしくはこの胴に取り付けられた枚葉紙送り装置を共に形成することができるようになっている。
【００１８】
さらに他の実施態様は、枚葉紙送り部材の少なくとも１つがノズルを備えた枚葉紙案内板として構成されていること、そしてまた、好ましくは枚葉紙送り装置における複数または全ての枚葉紙送り部材がこのように構成されていることを特徴としている。この場合、このノズルは、各々の枚葉紙送り部材に配置された少なくとも１つの半径流送風機により、吹付け空気が供給されるようになっている。枚葉紙送り部材における、吹付け空気用ノズルを備える案内面は、案内面に対して距離を保ちながら枚葉印刷物を特に損傷することなくかつ汚さない状態で案内することができるようになっている。枚葉紙送り装置に備えられる１つまたは複数の半径流送風機を用いることにより、効率が高い場合に均一な空気配分が得られる。
【００１９】
さらに他の実施態様は、枚葉紙送り部材ごとに２つまたは複数の送風機を備えていること、すなわち枚葉紙送り部材の下方におけるケースの内部にもしくはこのケースに配置されるとともに、このケースにおける、互いに分離されたチャンバに圧縮空気を供給するような送風機、好ましくは半径流送風機を備えていることを特徴としている。枚葉紙送り部材ごとに、各々１つの送風機を有する２つのチャンバが備えられいることが好ましく、そして、複数のまたは全ての枚葉紙送り部材がこのように備えられていることが好ましい。各々の別個のチャンバに送風機をこのように取り付けることにより、反対側における送風機による好ましくない影響が回避されるとともに、この配置により、枚葉紙送り部材もしくはチャンバを含むケースに直接多くの構造的空間を節約することができる。
【００２０】
さらに他の実施態様は、少なくとも１つの枚葉紙送り部材が、枚葉紙搬送方向にみて、枚葉紙送り部材の前縁が、枚葉紙搬送方向に後続する枚葉紙送り部材の後縁に対して、枚葉紙案内板もしくは枚葉紙案内面に対する垂線の方向に移動されるようになっているとともに、好ましくはこの後縁を越えて突出するようになっていることを特徴としている。第１の枚葉紙送り部材の前縁は、続く枚葉紙送り部材の後縁に対して、ジャンプ台状に高くすることが可能である。このようにして、全ての状況下で、枚葉印刷物が、枚葉紙搬送方向に後続する枚葉紙送り部材の後縁で汚れたり、もしくはさらに引っかかった状態のままとなったりすることが防止される。場合によっては起こり得る、組み立てが不正確に行われた場合、そしてまた、意図せず位置が変化した場合でも、このような信頼性が確実に保証される。第１の枚葉紙送り部材に対して枚葉紙搬送方向に後続する枚葉紙送り部材は、第２または第３の枚葉紙送り部材であることが可能である。第３の枚葉紙送り部材の分割位置は、好ましくはこの第３の枚葉紙送り部材に続く第２の枚葉紙送り部材に面しており、そして、枚葉紙送り装置の他の分割位置も同じように構成することが可能となっている。
【００２１】
さらに、後続の枚葉紙送り部材の後縁もまた、前方に配置された枚葉紙送り部材の前縁を越えて突出するようにすることができ、これにより、実際に用いる場合には、ほとんどの場合、支持用空気の好ましい流れ関係が得られる。
【００２２】
本発明は、あらゆる枚葉印刷物用印刷機、特に輪転印刷機に、そしてまた、例えば、列構造で配置された印刷ユニットを有する印刷機、および、様々な印刷法で運転される印刷機、すなわち例えばオフセット印刷機に用いることができる。
【００２３】
【発明の実施の形態】
次に、本発明の実態の形態について図面を参照して説明する。
【００２４】
図１では、複数の印刷ユニット2、3と、枚葉紙給紙装置4と、枚葉紙排紙装置5とを有する、枚葉紙輪転印刷機として構成された枚葉紙印刷機１が示されている。各印刷ユニット2、3は、逆圧胴10、11と、版胴6、7とを含んでおり、そして、オフセット式印刷ユニットとして構成する場合には、ゴムフランケット胴8、9を含むことができる。枚葉印刷物は、前方に配置された印刷ユニット2から後方に配置された印刷ユニット3へ枚葉紙搬送装置12によって搬送されるようになっており、この場合、枚葉紙搬送装置12は少なくとも１つの枚葉紙搬送胴13を含んでいる。枚葉紙搬送胴13は、その断面の幾何学的形態形態が円形からずれているような開いた搬送胴として構成されている。枚葉紙搬送胴13は、直径方向に配置された２つのくわえづめ列14の近傍で菱形に形成されている。図１では、くわえづめ列を備えた、断面形状が実質的に三角形となっている３倍サイズの枚葉紙搬送胴13が示されている。開いた搬送胴の場合、例えば薄い紙のような特に軽い印刷物を安定させることは、枚葉紙送り装置、そして特に吹付けノズルを備えた枚葉紙送り装置によることが特に好ましい。枚葉紙搬送胴13は、複数の枚葉紙送り部材18、19、25から組み立て可能な枚葉紙送り装置16を備えている。第２の枚葉紙送り部材19は、枚葉紙搬送方向にみて、第１の枚葉紙送り部材18に後続する状態で配置されており、この場合、第３の枚葉紙送り部材25は、互いに鏡像的に構成され配置された枚葉紙送り部材18と19の間へ差し込まれている。枚葉紙送り部材18、19、25は、枚葉紙搬送胴13の回転軸39と同軸的に湾曲している。円形状の断面を有する枚葉紙搬送胴の場合には、枚葉紙送り部材18、19、25の案内面は、枚葉紙搬送胴の周囲表面に対して等距離で延びており、そしてまた、図示したような、開いた搬送胴として構成された枚葉紙搬送胴13の場合には、枚葉紙搬送胴13側を向いた枚葉紙送り部材18、19、25の案内面は、その全案内路にわたって、理論的な周囲ラインに対して、または、枚葉紙搬送胴13のくわえづめ移動路に対して等距離で置かれている。紙案内部材18、19、25には、枚葉紙送り装置16の組み立てを軽減するような共通の案内部材22が取り付けられている。枚葉紙送り部材18の例にあっては、枚葉紙送り部材18、19、25が上方から枚葉紙搬送胴13の下方の空間へ運ばれることが示されている。これにくわえ、枚葉紙送り部材18、19、25は、枚葉紙搬送胴13と、逆圧胴10または逆圧胴11との間に形成された間隙24を通して案内され、この際に、案内部材22により、枚葉紙搬送胴13の周囲方向に案内される。枚葉紙送り部材18の点線で示す位置l8.2は、枚葉紙送り装置16の組み立てにおけるこの段階を示しており、この場合、枚葉紙送り部材18は、この位置18.1で他の枚葉紙送り部材19、25に組み付けられて作動位置に置かれる。枚葉紙印刷機1は、排紙装置5に取り付けられチェーン式くわえづめ装置15の下側に配置されている他の枚葉紙送り装置17を含んでいる。この枚葉紙送り装置17は、直線状に形成された枚葉紙送り部材20、21から構成されている。この湾曲した案内部材22とは反対に、案内部材23は直線状に構成されている。枚葉紙送り部材20、21は、湾曲部分に至るまでは、実質的に枚葉紙送り部材18、19、25に相応している。他の用途の場合では、その案内面に関し凹状態に湾曲��た枚葉紙送り装置16に代わり、凸面状に湾曲した枚葉紙送り装置を備えることも可能である。枚葉紙送り部材18、19、25の分解および組み込みは、取付け装置が枚葉紙搬送胴13で枚葉紙送り部材18、19、25を保持し、そして、枚葉紙搬送胴13の回転により、枚葉紙搬送胴13の下方の領域から、枚葉紙送り部材18、19、25が枚葉紙印刷機1から搬送されていくように自動化される。操作を容易にするために、枚葉紙送り部材18、19、25上にまたは枚葉紙送り部材18、19、25内に、例えば、把持用凹部のような把持部が備えられている。枚葉紙送り部材18、19、25の確実な組み込みおよび分解、そして、その強固な取付けおよび正確な位置決めの役割を有する案内部材22、23は、レールとして構成されることが好ましく、そして例えば、枚葉紙印刷機1の側部フレームにおけるような溝として形成することもできる。枚葉紙送り部材18〜21、25は、案内面として構成することが好ましく、そしてさらに、相並んで配置されたロッドとして、もしくは、格子状部材として構成することができる。枚葉紙送り部材18〜21、25は、浮動式案内部材として構成されることが好ましく、この場合、その吹付けノズルが 、案内されていく枚葉印刷物63上に空気を吹付けるようになっている。このようにして枚葉印刷物63の下に空気クッションを形成することが可能となっており、この枚葉印刷物63は、同時にいわゆるベンチュリ効果によって、枚葉紙送り部材18〜21、25の方向に吸引され、そして、この枚葉紙送り部材18〜21、25の移動路上で安定させられることが可能となっている。
【００２５】
図２では、枚葉紙搬送胴13に取り付けられた枚葉紙送り装置16が詳細に示されている。枚葉紙搬送方向にみて、少なくとも第１の枚葉紙送り部材18および第２の枚葉紙送り部材19が続いて配置されており、そしてまた、好ましくは第３の枚葉紙送り部材25が枚葉紙送り部材18と19の間に配置されている。案内部材22は、複数の案内部材26、27から組み立てられて構成されている。案内部材22は、枚葉紙印刷機1のフレーム28に固定されている。第１の枚葉紙送り部材18および第２の枚葉紙送り部材18は、それぞれ、第１の取付け具31、36と第２の取付け具32、35とを備えている。この間に配置された第３の枚葉紙送り部材35は、実質的に取付け具32、35に相応して形成された同様の２つの取付け具33、34を備えている。外側の取付け具31、36は、取付け位置における枚葉紙送り部材18、19を保護する役割を有している。取付け具31、36は、枚葉紙送り部材18、19を固定し、そして案内部材22内で枚葉紙送り部材18、19がずれることを防止するようになっている。取付け位置にある第３の枚葉紙送り部材25は、両側部の装置によって、この両側部の装置の間の枚葉紙送り部材18、19に保持され、固定されている。取付け具31、36は、枚葉紙送り部材18、19、25の位置を、枚葉紙搬送胴13の周囲方向に固定し、そして取付け具32〜35は、枚葉紙送り部材18、19、25の位置を半径方向に固定するようになっており、この場合、取付け具31〜36は嵌合状態で作用するようになっている。第１の取付け具31、36は、それぞれ制動部38と制動部受け部37とを備えている。制動部38は、図示するように、各々の枚葉紙送り部材18、19に、そして案内部材22の制動部受け部37に取り付けられることが好ましい。他の構成としては、制動部38は案内部材22に、そして制動部受け部37は各々の枚葉紙送り部材18、19に備えることもできる。制動部受け部37は、鋸歯状の部材66により斜めに上方へ方向付けられた支持面で形成される、上方に向けて開口するつめ状の間隙として構成されることが好ましい。この支持面は、第２の支持面とともに、好ましくはピンとして形成された制動部38を嵌め込むための溝を構成している。制動部38は、枚葉紙送り部材18、19の下方で、この枚葉紙送り部材18、19に接続された状態で配置されている。枚葉紙送り部材18、19の下方に配置されたケース67内で、各々の枚葉紙送り部材18、19に備えられた半径流送風機43が存在する場合、制動部38はケース67に固定することができる。これについては、枚葉紙送り部材18の例で示されている。この種のケース67が無い場合には、枚葉紙送り部材19の例で示されているように、枚葉紙送り部材18、19の下側に、制動部38を支持する支持部材64が備えられている。制動部受け部37は、取付け溝の形に、または鞍の形で形成することができ、制動部38は、突出部状、ドーム状、もしくはロックボルト状に形成することができる。制動部38は、ロック位置で、制動部受け部37によって部分的に囲まれるようになっている。掛け金として作用する取付け具31、36の形状およびこれを用いることにより、そして重心29、30の位置により、枚葉紙送り部材18、19が組立ての際に不正確に配置されても、枚葉紙送り部材18、19は、常に自動的に案内部材22に沿って回転もしくはスライドし、そして正確な端部位置へ収まることが保証される。枚葉紙送り部材18、19、25は、その自重により端部位置にとどまるが、この枚葉紙送り部材18、19、25は、嵌合した固定状態で枚葉紙送り部材18、19を補助的に固定するようにしているが、ずれることを確実に妨ぐために、例えば、制動部38を囲むばねによって付勢された図示するフック部材68を備えるようにしている。フック部材68は、嵌合する制動部38によって一時的に向こう側へ押圧され、そして、ばねによって引き戻され、これにより、制動部38は、実質的にロックされるようになる。フック部材68の代わりに、割り出しボルトまたはバヨネット式締具も利用することができる。制動部38、および案内部51もまた、形状を構成するにあたって、案内部材22に関し制動部38および案内部51(図5)が側部に(図面平面に対して垂直に) 滑り出ること、もしくは、案内部材22内でスライドすることが防止されるように、そしてまた、この部分が案内部材22上もしくは案内部材22内で良好な状態でスライドまたは回転するように構成されている。第２の取付け具32、35は、回転継手およびスライドリンク（Schubgelenk）として構成されている。すなわち、枚葉紙送り部材l8、19のスライド移動72を、案内部材22の方向に、そしてまた、枚葉紙送り部材18、19の揺動73を、枚葉紙搬送胴13の回転軸39に対して平行に延びる軸のまわりに、つまりリンクピンを構成する案内部51のまわりに可能とするような回転継手およびスライドリンク（Schubgelenk）として構成されている。この揺動運動は、図２で枚葉紙送り部材19の例によって示されており、これにあっては、取付け具32、35が接続されるとともに案内部51が案内面48、49(図4)の間にある場合、枚葉紙送り部材19は、位置19.2から位置19.1へ揺動可能となっている。この揺動運動は、加えて、枚葉紙送り部材18、19へ作用する揺動力の作用によってのみ行われ、これにより、この枚葉紙送り部材18、19は、正確な位置19.1で確実にロックされる。このことは、ここで例えばこのようなものとして示された、重心位置30を有する、送風機を備えていない枚葉紙送り部材19の場合でも、そしてまた、重心位置29を有する、ここで例示的に送風機43を備えるものとして示した枚葉紙送り部材18の場合でも、確実に行うことができる。取付け具33、34は、取付け具32、35に相応して形成されており、この場合、この揺動作用は、枚葉紙送り部材25の位置決めのために必ずしも必要ではない。取付け具32〜35は、道具を用いずに解除することができるような、取外し可能なリンク接続として形成されている。前述の特徴により、枚葉紙送り部材18、19、25は、印刷機内へ確実かつ容易に導入することが可能になるとともに、作用位置で非常に正確に固定されるようになり、そしてまた、枚葉紙送り装置16の組み立ておよび分解のために工具が必要でなくなるとともに、調節にかかる手間やコストが不要になる。
【００２６】
図３では、取り外した枚葉紙搬送胴13における、上方からみた枚葉紙送り装置16が示されている。ここでは、図２に関連して説明した案内部材22の配置および取付け具31〜36の構成は、枚葉紙送り部材18、19、25の両側に備えられているものであることが示されている。枚葉紙送り部材18、19、25は、ノズル47を備えた枚葉紙案内板として形成されている。図３では、さらに、枚葉紙送り部材18、19、25の各々が送風機43を備えることができることが示されており、この場合、送風機43が直接枚葉紙送り部材18、19、25に配置されており、そして、ケース67内に形成されチャンバ41、42によって空気を案内する状態で接続された送風機ハウジングが、枚葉紙送り部材18、19、25の下方にある。送風機ハウジング71(図2)内におけるチャンバ41、42の外側に、図示するように送風機43を取り付けることに代わり、これらの送風機43（diese）をチャンバ41、42内へまとめて組み込むことが可能である。枚葉紙送り部材l8、19、25に送風機43を直接取り付けることは、導管を介して枚葉紙送り部材に接続され外部に配置された送風機とは反対に、優れた効果を達成できるとともに、圧力損失を防止することできるという利点を有している。各々の枚葉紙送り部材18、19、25には、複数の送風機43が取り付けられている。このようにして、各々の枚葉紙送り部材18、19、25の全表面にわたって、一定の圧力レベルが保証される。一定の空気圧配分は、１つまたは複数の半径流送風機を用いることによっても実現することができる。この送風機類は、制御することについて非常に優れており、そして軸流送風機にくらべエネルギ消費が非常に小さくなっている。くわえて、半径流送風機の構造上のサイズは、発生可能な吹付け空気圧に関して比較できる軸流送風機にくらべてより小さくなっている。枚葉紙送り部材18、19、25のケース67は、好ましくは、１つもしくは複数の隔壁40によって別々のチャンバ41、42に区分されるようになっており、この場合、各々のチャンバ41、42内では、少なくとも１つの送風機43が配置されている。図３では、それぞれ、２つのチャンバ41、42に区分された枚葉紙送り部材18、19、25が示されており、この場合、各々のチャンバ41、42は、このチャンバ41、42に別々の状態で取り付けられた半径流送風機43により、圧縮空気が供給されるようになっている。別々の状態で取り付けられたこれらの送風機43によって、互いに分離された別々のチャンバ41、42が空気供給されることにより、送風機43の反対側の影響は、流体工学的に得られる周期的な圧力揺動に基づいて防止され、この場合、１つの枚葉紙送り部材18、19、25に属するチャンバ41、42は、各々が同じ大きさのサイズとするとともに同じ容積とすることができ、これにより、圧力揺動は実際に除去される。各々の半径流送風機43は、スクリュープロペラもしくは送風機プロペラ44、すなわち、空気取入口45を通して吸引された空気を、回転軸70の方向ではなくむしろ半径方向に、空気排出口46を通して各々のケース67へ、もしくは、相応するチャンバ41、42内へ吹付けるようなスクリュープロペラもしくは送風機プロペラ44を含んでいる。半径流送風機43は、枚葉紙送り部材18、19、25への直接装備の可能性を、十分に強力で均質な圧力レベルを作り出す可能性と結びつけている。これは、枚葉紙送り部材18、19、25をベンチュリ-ノズルプレート構成する場合に特に有利である。ノズル47を備える、枚葉紙送り装置16の案内面は、チャンバ41、42の壁によって形成されている。
【００２７】
図４では、取付け具34、35を拡大して示しており、この場合、枚葉紙送り部材18、25は、見やすくするために、属するケース67および送風機43がない状態で示している。第２の取付け具35は、相対して平行に延びる２つの案内面48、49と、これらの案内面48、49の間で案内される案内部51とを含んでいる。案内面49は、支持レールとして形成された案内部材22上に形成されており、案内面48は、この案内部材22に対する他方側54上に形成されている。この第２の取付け具35に実質的に相応する取付け具34も同じように形成されている。円形状に形成された案内部51は、案内部材22と他方側54との間へ、そしてまた、これにより、案内面48と49の間へ差込むことが可能となっており、この場合、わずかな斜角面もしくは他方側曲折部52は、案内部材22から離れた状態で案内部51の捕捉および導入のための役割をする。位置決めされた枚葉紙送り部材18、25の場合、案内部51は、他方側54および案内部材22によって取り囲まれ、案内部51および枚葉紙送り部材18、25が、案内部材22に沿うようにのみ動くように固定されている。案内面48、49は、図示するように直線状に形成されることが好ましい。この構成は、非常にコスト的に有利である。半径がＲの曲折された案内部材22は、さらに直線状の領域55、すなわち、続いて配置された２つの枚葉紙送り部材18、25の案内部51がその作用位置でこの領域55上へ置かれるような、直線状の領域55を備えている。直線状の領域55、もしくはその案内面49は、円弧状の案内部材22について割線を形成している。案内部材の枚葉紙形状は、この割線を形成する、半径Ｒによって決められる凹状の部分円に相応している。他方側54は、相対する状態で直線状の領域55に配置されている。さらに、案内面48、49が湾曲した状態で互いに平行に延びる状態、すなわち例えば円弧状および互いに同軸状態で形成することも可能であり、この場合、案内部材22における割線状の突出部分を無くすようにすることも可能である。他方側54は、２つのリブから構成されるように形成された支持部材50によって支持されている。支持部材50は、案内部材22に固定されている。他方側54は、調節装置22によって、距離および平行度に関し、案内部材22に対して非常に正確に調節することができるようになっている。多くの場合、枚葉紙送り装置の製造の際に調整を一回行うようになっているが、（本装置の場合は）常に調整が可能であり、これにより、案内部51が、バタつくことなしに、十分に張られた状態で案内面48、49の間で案内されるようになっている。枚葉紙送り部材18、25の端部は、枚葉紙送り部材25の送り部材曲折部53が、案内面に対し略垂直な角度となるように、そしてまた、枚葉紙送り部材18の送り部材曲折部53が、案内面に対し鋭角に略60°となるように曲折されている。送り部材曲折部53を有する枚葉紙送り部材18、25の端部は、枚葉紙送り部材18、25が作用位置にある場合、互いに接している。これらの案内部51は、枚葉紙送り部材18、25に固定されているとともに、好ましくは枚葉紙送り部材18、25の送り部材曲折部53に直接固定されており、そしてこれらの送り部材曲折部53に溶接されることが可能となっている。案内部51は、図示するように、好ましくは案内部材22上をスライドするようになっている。さらに、枚葉紙送り部材18、25内に回転可能に支持され、案内部材22上を転がるような案内部51を備えるようにすることも可能である。取付け具31は、前述の取付け具34と同じように構成され、取付け具32は、取付け具35と同じように構成されており、この場合、これらの取付け具32、35は、同じく、２重取付け具として構成されている。
【００２８】
図５では、取付け具34が、枚葉紙搬送方向にみた断面図で示されている。取付け具32、33、35は、ここで説明した取付け具34と全く同様に形成されている。案内部51は、好ましくはボルトとして形成され、そしてスライドリングとして構成することも可能である。案内部51は、底部が案内面49上に接する溝を備えている。この溝は、図示され外形が示された案内部51の場合、リング溝として形成されており、そして段を形成したボルトとして形成された案内部5の次第に細くなる段部56を形成している。案内部51の側部面74は、案内部51が側部方向に移動しないようにしている。取付け具34は、取付け具31〜33、35、36と全く同様に、各々の枚葉紙送り部材18、19、25に２重となって配置されている。すなわち、相対する側に繰り返して、好ましくは一列に並んだ配置で、鏡像的に形成された状態で配置されている(図３)。枚葉紙送り部材18、19、25の側部における固定は、これにより、枚葉紙送り部材18、19、25の各々の側上で取付け具34ごとに側部面74だけによって規定された段部56の場合にも、すなわち例えば側部面74が内側だけの場合、もしくは側部面74が外側だけの場合に行われる。この場合、それぞれ、次第に細くなる延長部56の直径に相応するかもしくはより小さい直径を有する延長部75、76の１つに形成することが可能である。２つの側部面74における、延長部56を囲んだ構成は、機械内へ枚葉紙送り部材18、19、25を導入する前に、レール状の案内部材22上へ案内部51をより好ましい状態で置くことを可能にしている。案内面49の幅は、延長部56の幅よりも多少小さいことが好ましい。案内面48、49は、軸方向にみて、互いに入れ替わる位置で案内部51を案内するようになっている。他方側54は、好ましくはブラケット形の支持部材50に固定されるか、もしくは、この支持部材50とともに一体的に形成されるようになっている。
【００２９】
図６では、枚葉紙送り部材12、19、25の可能な相対位置が相対して示されており、これにあっては、直線状の領域55は、案内部材22の曲率半径Ｒに相応する中心線57と直角αを形成している。枚葉紙送り部材18、25の案内面に対し案内部51と同じ距離を有する配置にあっては、その案内面が、１つのレベルにおける、中心線57によって定義された分割位置に置かれている。
【００３０】
図７では、全ての場合における一例として、枚葉紙送り部材18、25のこの分割位置についての、枚葉紙送り部材18、19、25にとって可能でかつ好ましい構成が、概略的に示されている。
【００３１】
図７で示された好適な構成では、枚葉紙搬送方向68にみて、第１の枚葉紙送り部材18の前縁60が、枚葉紙搬送方向58に後続する第３の枚葉紙送り部材25の後縁61よりも、例えば0．5〜1．0mmの距離59だけ高くなっている。領域55に沿う、枚葉紙送り部材18、19、25の製造者側で組立てる場合に案内部22がスライド移動することにより、0mm(図６)〜例えば3mmの距離59の非常に正確な細かい調整が可能になる。これは、図６にくらべると変化した、領域55と中心線57との間にある角度α、図７では鈍角α(α>90°)であるような角度αによって達成される。これにより、直線状の領域55の中心線57に対して、そして案内部材22の曲率半径Ｒに対する角度が変化されられる。枚葉紙送り部材18、19、25が互いに位置交換することは、案内部51の相応した移動によっても生じさせることが可能となっており、この場合には図６で示された直角αを保つことが可能である。しかし、図７で示された実施形態では、枚葉紙送り部材18、19、25を互いに調整することを特に低コストで行えることが可能になっている。
【図面の簡単な説明】
【図１】本発明による２つの枚葉紙送り装置を有する枚葉紙印刷機を示す概略図である。
【図２】枚葉紙送り装置の一例について詳細に示す側面図である。
【図３】取り外した枚葉紙搬送胴の場合における、図２の枚葉紙送り装置を示す平面図である。
【図４】枚葉紙送り装置の取付け具を示す拡大図である。
【図５】取付け具の一例を示す断面図である。
【図６】枚葉紙送り部材の互いの相対位置を示す概略図である。
【図７】枚葉紙送り部材の他の相対位置を示す概略図である。
【符号の説明】
1         枚葉紙印刷機
2、3      印刷ユニット
4         枚葉紙給紙装置
5         枚葉紙排紙装置
6、7      版胴
8、9      ゴムフランケット胴
10、11    逆圧胴
12        枚葉紙搬送装置
13        枚葉紙搬送胴
14        くわえづめ
15        チェーン式くわえづめ装置
16、17    枚葉紙送り装置
18、18.1、18.2、19、19.1、19.2、20、21   枚葉紙送り部材
22、23    案内部材
24        間隙
25        枚葉紙送り部材
26、27    案内部材
28        フレーム
29、30    重心
31〜36    取付け具
37        制動部受け部
38        制動部
39        軸
40        隔壁
41、42    チャンバ
43        送風機
44        送風機プロペラ
45        空気取入口
46        空気排出口
47        ノズル
48、49    案内板
50        支持部材
51        案内部
52        他方側曲折部
53        送り部材曲折部
54        他方側
55        領域
56        段部
57        中心線
58        枚葉紙搬送方向
59        距離
60        前縁
61        後縁
62        調節装置
63        枚葉印刷物
64        支持部材
65        案内板
66        部材
67        ケース
68        フック部材
69        ばね
70        軸
71        送風機ハウジング
72        スライド運動
73        揺動運動
74        側部面
75、76    延長部
R、r     半径
α        角度
【図１】
0004450885.tif 000002
【図２】
0004450885.tif 000003
【図３】
0004450885.tif 000004
【図４】
0004450885.tif 000005
【図５】
0004450885.tif 000006
【図６】
0004450885.tif 000007
【図７】
0004450885.tif 000008